(57)【要約】【課題】【解決手段】アップライト型真空掃除機の角度調節装置が開示される。このアップライト型真空掃除機の角度調節装置は、一定空間を有し、吸入口１２及び吐出口が形成され、吸入口１２の内側に吸入装置が設置された掃除機本体１０と、掃除機本体１０が回転可能に設置され、捕集口及び排出口１８が形成された吸入部１５と、吸入口１２と排出口１８との間に連設された弾性材質の流入管と、吸入部１５に取り付けられ、掃除機本体１０の回転を制限するロック手段１００と、を備えることを特徴とする。本発明によれば、掃除作業中に床面に密着した状態で摺動する吸入体に対して掃除機本体が作業者の位置に合う角度に回転するように掃除機本体を吸入体に回転可能に設置することによって、掃除作業を容易にすることができる。【選択図】図４
2009504305.tif 000002
【特許請求の範囲】
【請求項１】
吸入口及び吐出口が形成され、前記吸入口の内側に吸入装置が設置された掃除機本体と、
前記掃除機本体が回転可能に設置され、捕集口及び排出口が形成された吸入部と、
前記吸入口と前記排出口との間に連設された弾性材質の流入管と、
前記吸入部に取り付けられ、前記掃除機本体の回転を制限するロック手段と、
を備えることを特徴とする、アップライト型真空掃除機用の角度調節装置。
【請求項２】
前記吸入部の上面に一端が回転可能に結合され、その上面に前記掃除機本体が設置される連結パネルをさらに備えることを特徴とする、請求項１に記載のアップライト型真空掃除機用の角度調節装置。
【請求項３】
前記連結パネルは、前記掃除機本体が取り付けられる上部パネルと、前記上部パネルの底面と結合し、前記吸入部の底面の下側に突出する車輪が装着された下部パネルと、前記輪の回転軸を回転可能に拘束しながら前記吸入部に締結される固定パネルと、を備えることを特徴とする、請求項２に記載のアップライト型真空掃除機用の角度調節装置。
【請求項４】
前記上部パネルは、前記排出口に対応する側の一端に連結口が形成され、
前記連結口は、前記流入管が挿入される上端部と、前記排出口から延設された連結管が挿入される下端と、を有することを特徴とする、請求項３に記載のアップライト型真空掃除機用の角度調節装置。
【請求項５】
前記ロック手段は、前記連結パネルの内側に回転可能に設置され、一端が前記連結パネルの外側に突出するようにして配置されたレバーと、前記レバーの他端の底面に凹状に形成された係合部と、前記連結パネルの内側に嵌挿されるように前記係合部と対応する前記吸入部の上面に突設された突起と、前記レバーの回転軸に取り付けられ、前記係合部が前記突起に引っ掛かった状態を維持させるコイルばねと、を備えることを特徴とする、請求項２または３に記載のアップライト型真空掃除機用の角度調節装置。
【発明の詳細な説明】
【技術分野】
【０００１】
本発明は、アップライト型真空掃除機に係り、特に、掃除機本体が吸入体に回転可能に設置されることによって、掃除作業中に床面に密着した状態で移動する吸入体から掃除機本体が回転されるので、作業者の位置に応じて適切な角度に回転されて容易な掃除作業を行えるようにしたアップライト型真空掃除機用の角度調節装置に関する。
【背景技術】
【０００２】
一般に、真空掃除機は、ファンモーターの駆動による真空ポンプの動作から発生した負圧による強力な吸引力によって、室内の床面、壁面、スキ間などにまき散っているホコリやその他の異物を吸い込み、内部の集塵フィルタにより捕集するように構成された家電機器と知られている。
【０００３】
現在広く普及されて使用されている真空掃除機は、その使用状態と形態によって、隅掃除及び移動が便利で、ブラシーやノズルの交換が容易なキャニスタ型（Ｃａｎｉｓｔｅｒ  ｔｙｐｅ）と、広い空間の掃除に有利で、保管が便利なアップライト型（Ｕｐｒｉｇｈｔ  ｔｙｐｅ）とに大別される。
【０００４】
図１は、従来技術によるアップライト型掃除機を示す斜視図である。従来のアップライト型真空掃除機は、底面に移動ホイール１０５が装着され、床面からホコリを吸い込む吸入体１００と、モーターなどの部品が組み込まれている掃除機本体２００と、直立型の取っ手３００と、で構成される。
【０００５】
上記のような真空掃除機では、吸入体１００の底面にはブラシーが取り付けられた捕集口（図示せず）が形成され、ブラシーにより除去されたホコリが吸い込まれ、この吸い込まれたホコリは、空気の外部への吐出と共に流動してフィルタで捕集される。
【０００６】
このようなアップライト型掃除機は、吸入体が掃除機本体の他の部分に比べて相対的に広く形成されているので直立可能であり、これにより、広い空間を容易に移動しながら掃除でき、掃除作業の終了後にも直立状態に保管できるという利点がある。
【０００７】
しかしながら、従来技術によるアップライト型真空掃除機は、吸入体と掃除機本体が一体に形成され、使用者が掃除機本体及び吸入体を使用者の身体から遠く押した場合にも掃除機本体が直立状態を維持するから、取っ手と使用者の手とがなす角度が大きくなり、使用者が使い勝手上不便に感じるという問題点があった。そこで、この問題を克服する工夫が要請されている現状である。
【発明の開示】
【発明が解決しようとする課題】
【０００８】
本発明は上記の問題点に鑑みてなされたもので、その目的は、掃除機本体が吸入体に回転可能に取り付けられることによって、掃除作業中に使用者が掃除機本体を押したり引いたりする場合に使用者と掃除機本体との距離に応じて掃除機本体が適切な角度に回転し、使用者の腕と取っ手とがなす角度が一定角度以内に維持されるようにするアップライト型真空掃除機の角度調節装置を提供することにある。
【課題を解決するための手段】
【０００９】
上記の目的を解決するための本発明に係るアップライト型真空掃除機の角度調節装置は、吸入口及び吐出口が形成され、前記吸入口の内側に吸入装置が設置された掃除機本体と、前記掃除機本体が回転可能に設置され、捕集口及び排出口が形成された吸入部と、前記吸入口と前記排出口との間に連設された弾性材質の流入管と、前記吸入部に取り付けられ、前記掃除機本体の回転を制限するロック手段と、を備える構成とした。
【００１０】
また、本発明に係るアップライト型真空掃除機の角度調節装置は、前記吸入部の上面に一端が回転可能に結合され、その上面に前記掃除機本体が設置される連結パネルをさらに備えることが好ましい。
【００１１】
なお、前記連結パネルは、前記掃除機本体が取り付けられる上部パネルと、前記上部パネルの底面と結合し、前記吸入部の底面の下側に突出する車輪が装着された下部パネルと、前記輪の回転軸を回転可能に拘束しながら前記吸入部に締結される固定パネルと、を備えることが好ましい。ここで、前記上部パネルは、前記排出口に対応する側の一端に連結口が形成され、前記連結口は、前記流入管が挿入される上端部と、前記排出口から延設された連結管が挿入される下端と、を有することが好ましい。
【００１２】
また、前記ロック手段は、前記連結パネルの内側に回転可能に設置され、一端が前記連結パネルの外側に突出するようにして配置されたレバーと、前記レバーの他端の底面に凹状に形成された係合部と、前記連結パネルの内側に嵌挿されるように前記係合部と対応する前記吸入部の上面に突設された突起と、前記レバーの回転軸に取り付けられ、前記係合部が前記突起に引っ掛かった状態を維持させるコイルばねと、を備えることが好ましい。
【発明の効果】
【００１３】
本発明によるアップライト型真空掃除機用の角度調節装置は、掃除機本体と吸入体が別に製作され、掃除機本体が吸入体に回転可能に設置されるるので、掃除作業中に掃除機本体が使用者側に傾くことができる。したがって、掃除機を押したり引いたりする時に、掃除機と使用者間の距離に合う角度で掃除機本体が傾き、取っ手と使用者の腕との角度が一定角度以下に維持され、掃除作業をより便利に行うことが可能になる。
【発明を実施するための最良の形態】
【００１４】
以下、本発明によるアップライト型真空掃除機の 好ましい実施形態を、添付の図面を参照しつつ詳細に説明する。
【００１５】
図２は、本発明によるアップライト型真空掃除機を示す背面斜視図であり、図３は、本発明によるアップライト型真空掃除機を示す正面斜視図である。
【００１６】
本発明によるアップライト型真空掃除機は、吸入口１２及び吐出口１４が形成され、吸入口１２の内側に吸入ファン（図示せず）が取り付けられた掃除機本体１０と、掃除機本体１０が上面に回転可能に設置され、捕集口（図示せず）及び排出口１８が形成された吸入体１５と、吸入体１５の上面に一側端部が回転可能に結合し、その上面に掃除機本体１０が設置される連結パネル６０と、吸入口１２と排出口１８との間に連設された弾性材質の流入管７０と、吸入体１５に取り付けられて掃除機本体１０の回転を制限するロック手段１００と、を備えて構成される。
【００１７】
したがって、ロック手段１００を操作して連結パネル６０を吸入体１５に対して回転可能にすると、連結パネル６０の上面に設置された掃除機本体１０が吸入体１５に対して回転可能になり、図４に示すように掃除機本体１０の角度が調節されることができる。
【００１８】
図５は、本発明の連結パネル及びロック手段を示す分解斜視図であり、図６は、本発明による連結パネル及びロック手段を示す断面図である。
【００１９】
連結パネル６０は、掃除機本体１０が設置される上部パネル６２と、上部パネル６２の底面に結合し、吸入体１５の底面から突出する一対の輪１６が後方両側端部に装着される下部パネル６３と、輪１６の回転軸を回転可能に拘束しながら吸入体１５に締結される固定パネル６１と、からなる。したがって、上部パネル６２と下部パネル６３との間にロック手段１００を配置して結合させた後に、輪１６の回転軸を吸入体１５の後方に形成された溝部に載置し、固定パネル６１を溝部の上面にボルトで結合させると、下部パネル６３の両側端部から中央方向に嵌挿された輪１６の回転軸が吸入体１５の溝部に回転可能に取り付けられ、これにより、連結パネル６０と吸入体１５とが回転可能に連結される。
【００２０】
ここで、上部パネル６２は、排出口１８に対応する一側に連結口６４が形成され、その下端には排出口１８から延びた連結管１８ａが挿入され、上端には流入管７０が挿入される。ここで、連結管１８ａは、流入管７０と同じ軟質の蛇腹管とし、ロック手段１００が解除され、掃除作業中に連結パネル６０が回転することによって排出口１８と連結口６４との間の距離が可変するときに、連結管１８ａが伸縮しながら異物及び空気が流入するようにする。
【００２１】
ロック手段１００は、連結パネル６０の内側に回転可能に取り付けられ、一側端部が連結パネル６０の外側に突出するようにして配置されたレバー１０２と、レバー１０２の他側端部の底面に凹入形成された係合部１０２ａと、係合部１０２ａと対応する吸入体１５の上面に突設されて連結パネル６０の内側に嵌挿される突起１０６と、レバー１０２の回転軸１０２ｂに取り付けられ、係合部１０２ａが突起１０６と係合した状態を維持させるコイルばね１０４とからなる。上部パネル６２と下部パネル６３との間にレバー１０２、回転軸１０２ｂ及びコイルばね１０４を配置して結合させた後に、これを固定パネル６１を介して吸入体１５に結合させる際には、コイルばね１０４によりレバー１０２が回転軸１０２ｂを中心に、図６の断面図上、反時計回り方向に回転する弾性が発生する。したがって、連結パネル６０を吸入体１５の上面に載置すると、突起１０６が、下部パネル６３に形成された開口部を通って連結パネル６０の内側に挿入されてレバー１０２の係合部１０２ａに係止されることで、連結パネル６０の回転が拘束される。
【００２２】
次に、上記のように構成された本発明によるアップライト型真空掃除機の角度調節装置の動作について説明する。
【００２３】
まず、連結パネル６０の後方に突出しているレバー１０２を使用者が足で踏むと、コイルばね１０４が圧縮しながらレバー１０２及び係合部１０２ａが図６に示す状態から時計方向に回転して突起１０６から外され、連結パネル６０の回転が可能になるので、連結パネル６０及び掃除機本体１０は輪１６の回転軸を中心に時計方向に回転可能になる。
【００２４】
このように掃除機本体１０及び連結パネル６０が回転可能な状態で、図４に示すように、使用者が取っ手２０を取って掃除機を前方に押すと、掃除機本体１０及び連結パネル６０が時計方向に回転しながら吸入体１５が底面に沿って摺動するので、取っ手２０と使用者の腕との角度は一定角度以下に維持される。
【００２５】
このような構成及び作動を有するアップライト型真空掃除機の角度調節装置により、使用者はより楽に掃除機を押したり引いたりすることが可能になる。
【００２６】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００２７】
【図１】従来技術によるアップライト型真空掃除機を示す斜視図である。
【図２】本発明によるアップライト型真空掃除機を示す背面斜視図である。
【図３】本発明によるアップライト型真空掃除機を示す正面斜視図である。
【図４】本発明によるアップライト型真空掃除機の使用状態を示す側面図である。
【図５】本発明の連結パネル及びロック手段を示す分解斜視図である。
【図６】本発明の連結パネル及びロック手段を示す断面図である。
【図１】
2009504305.tif 000003
【図２】
2009504305.tif 000004
【図３】
2009504305.tif 000005
【図４】
2009504305.tif 000006
【図５】
2009504305.tif 000007
【図６】
2009504305.tif 000008
【国際調査報告】
2009504305.tif 000009
2009504305.tif 000010